(57)【特許請求の範囲】
【請求項１】
端末の節電モードへの進入方法であって、
アイドルモード要請メッセージを伝送した後、第１のタイマーを駆動する第１の過程と、
前記第１のタイマーの満了時までアイドルモード承認メッセージを受信することができない場合、前記アイドルモード要請メッセージの再伝送の回数がアイドルモード要請メッセージの再伝送の許容回数を超えるか否かを検査する第２の過程と、
前記アイドルモード要請メッセージの再伝送の回数が前記アイドルモード要請メッセージの再伝送の許容回数を超える場合、アイドルモードへの進入の失敗回数を１増加する第３の過程と、
前記増加したアイドルモードへの進入の失敗回数がＮ回以上の場合、モデムの電源をオフする節電モードに進入する第４の過程と、
を含むことを特徴とする方法。
【請求項２】
前記第１のタイマーの満了前にアイドルモード承認メッセージを受信した場合、アイドルモードに進入する過程をさらに含むことを特徴とする請求項１に記載の方法。
【請求項３】
前記増加したアイドルモードへの進入の失敗回数がＮ回以上ではない場合、第２のタイマーを駆動する過程と、
前記第２のタイマーの満了時までトラフィックの送受信がない場合、前記第１の過程から前記第３の過程を繰り返す過程をさらに含むことを特徴とする請求項１に記載の方法。
【請求項４】
前記節電モードへの進入後、前記節電モードへの進入に対する情報を出力する過程をさらに含むことを特徴とする請求項１に記載の方法。
【請求項５】
前記節電モードに対する解除のイベントが発生した場合、前記節電モードを解除して初期の呼接続過程を行う過程をさらに含むことを特徴とする請求項１に記載の方法。
【請求項６】
節電モードに進入する端末装置であって、
アイドルモード要請メッセージを伝送した後、第１のタイマーを駆動する第１の過程を行い、前記第１のタイマーの満了時までアイドルモード承認メッセージを受信することができない場合、前記アイドルモード要請メッセージの再伝送の回数がアイドルモード要請メッセージの再伝送の許容回数を超えるか否かを検査する第２の過程を行い、前記アイドルモード要請メッセージの再伝送の回数が前記アイドルモード要請メッセージの再伝送の許容回数を超える場合、アイドルモードへの進入の失敗回数を１増加する第３の過程を行い、前記増加したアイドルモードへの進入の失敗回数がＮ回以上の場合、モデムの電源をオフする節電モードに進入する第４の過程を行う節電モード管理部と、
前記第１のタイマー及び第２のタイマーを管理するタイマー管理部とを含むことを特徴とする装置。
【請求項７】
前記節電モード管理部は、前記第１のタイマーの満了前にアイドルモード承認メッセージを受信する場合、アイドルモードに進入することを特徴とする請求項６に記載の装置。
【請求項８】
前記節電モード管理部は、前記増加したアイドルモードへの進入の失敗回数がＮ回以上ではない場合、第２のタイマーを駆動し、前記第２のタイマーの満了時までトラフィックの送受信がない場合、前記第１の過程から前記第３の過程を繰り返すことを特徴とする請求項６に記載の装置。
【請求項９】
前記節電モード管理部は、節電モードに進入後、前記節電モードへの進入に対する情報を出力することを特徴とする請求項６に記載の装置。
【請求項１０】
前記節電モード管理部は、前記節電モードに対する解除のイベントが発生した場合、前記節電モードを解除して初期の呼接続過程を行うことを特徴とする請求項６に記載の装置。
【請求項１１】
端末の節電モードへの進入方法であって、
アイドルモード要請メッセージを伝送し、
第１のタイマーを駆動し、
前記第１のタイマーの満了時までアイドルモード承認メッセージを受信することができない場合、前記アイドルモード要請メッセージの再伝送の回数がアイドルモード要請メッセージの再伝送の許容回数を超えるか否かを検査し、
前記アイドルモード要請メッセージの再伝送の回数が前記アイドルモード要請メッセージの再伝送の許容回数を超える場合、アイドルモードへの進入の失敗回数を１増加し、
前記増加したアイドルモードへの進入の失敗回数がＮ回以上の場合、モデムの電源をオフする節電モードに進入する、
ことを特徴とする方法。
【請求項１２】
前記第１のタイマーの満了前にアイドルモード承認メッセージを受信した場合、アイドルモードに進入することを特徴とする請求項１１に記載の方法。
【請求項１３】
前記増加したアイドルモードへの進入の失敗回数がＮ回以上ではない場合、第２のタイマーを駆動し、
前記第２のタイマーの満了時までトラフィックの送受信がない場合、アイドルモード要請メッセージを伝送することを特徴とする請求項１１に記載の方法。
【請求項１４】
前記節電モードへの進入に対する情報を出力することを特徴とする請求項１１に記載の方法。
【請求項１５】
前記節電モードに対する解除のイベントが発生した場合、前記節電モードを解除して初期の呼接続過程を行うことを特徴とする請求項１１に記載の方法。
【発明の詳細な説明】
【技術分野】
【０００１】
本発明は、広帯域無線接続通信システムにおけるアイドルモードへの進入のための装置及び方法に関する。
【背景技術】
【０００２】
広帯域無線接続通信システム（ここでは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６ｅ通信システムをいう）では、端末は、アイドルモード（Ｉｄｌｅ  Ｍｏｄｅ）に進入するためにＤＲＥＧ−ＲＥＱメッセージを基地局に伝送する（特許文献１参照）。
【０００３】
図１は、一般的なアイドルモードへの進入過程及び進入失敗時の過程を示した図である。端末１００は、モデム１０５とホスト１１０とに分けられており、メッセージは、前記モデム１０５を通じて伝送されるが、下記では、便宜上、端末１００と呼ぶこととする。
【０００４】
図１を参照すると、前記端末１００は、電力消耗を防止するために、呼接続後に一定の時間（以下、「Ｔｉｄｌｅｔｉｍｅ」という）の間に上／下方向（アップリンク／ダウンリンク）へのデータトラフィックが生じない場合、基地局１２０とのシグナリングを通じてアイドルモードに進入する。
【０００５】
アイドルモードへの進入のために、前記端末１００は、アイドルモード要請メッセージ（以下、「ＤＲＥＧ−ＲＥＱメッセージ」という）を伝送し（ａステップ）、前記ＤＲＥＧ−ＲＥＱメッセージに対する応答として前記基地局１２０が伝送するアイドルモード承認メッセージ（以下、「ＤＲＥＧ−ＣＭＤメッセージ」という）の受信のためにタイマーＴ４５を動作させる（ｂステップ）。
【０００６】
その後、前記端末１００は、前記タイマーＴ４５の満了前に前記基地局１２０からの前記ＤＲＥＧ−ＣＭＤメッセージを受信すると（ｃステップ）、前記タイマーＴ４５を中断し（ｄステップ）、アイドルモードに進入する（ｅ、ｆステップ）。
【０００７】
もし、前記タイマーＴ４５が満了するまで（ｇステップ）、前記端末１００が前記ＤＲＥＧ−ＣＭＤメッセージを受信することができない場合、前記ＤＲＥＧ−ＲＥＱメッセージを再伝送する（ｈステップ）。
【０００８】
前記の再伝送の回数がアイドルモード要請メッセージの再伝送の許容回数（以下、「ＤＲＥＧ  Ｒｅｑｕｅｓｔ  Ｒｅｔｒｙ  Ｃｏｕｎｔ」という。）（基本数：３回）を超えると（ｉステップ）、前記端末１００は、初期の呼接続ステップからの過程を開始する（ｊステップ）。
【０００９】
もし、前記端末１００が陰影地域に位置した場合、劣化したチャンネル状況によりＤＲＥＧ−ＲＥＱメッセージを再伝送する頻度が多くなる場合がある。これにより、ＤＲＥＧ−ＲＥＱメッセージの再伝送の回数が「ＤＲＥＧ  Ｒｅｑｕｅｓｔ  Ｒｅｔｒｙ  Ｃｏｕｎｔ」を超える状況が生じ得る。
【００１０】
この場合、前記端末１００は、アイドルモードに進入できずに、アイドルモードへの進入失敗による初期の呼接続ステップを繰り返す不都合がある。また、これによる電力消費の増加という問題点がある。
【特許文献１】韓国公開特許公報１０−２００７−０００８０２８号
【発明の開示】
【発明が解決しようとする課題】
【００１１】
本発明の目的は、広帯域無線接続システムにおけるアイドルモードへの進入のための装置及び方法を提供することにある。
【００１２】
本発明の他の目的は、端末が陰影地域に位置する場合の、アイドルモードへの進入失敗による電力消費を減らす装置及び方法を提供することにある。
【課題を解決するための手段】
【００１３】
本発明の目的を達成するための本発明の第１の様態によると、端末の節電モードへの進入方法であって、アイドルモード要請メッセージを伝送した後、第１のタイマーを駆動する第１の過程と、前記第１のタイマーの満了時までアイドルモード承認メッセージを受信することができない場合、前記アイドルモード要請メッセージの再伝送の回数がアイドルモード要請メッセージの再伝送の許容回数を超えるか否かを検査する第２の過程と、前記アイドルモード要請メッセージの再伝送の回数が前記アイドルモード要請メッセージの再伝送の許容回数を超える場合、アイドルモードへの進入の失敗回数を１増加する第３の過程と、前記増加したアイドルモードへの進入の失敗回数がＮ回以上の場合、モデムの電源をオフする節電モードに進入する第４の過程とを含むことを特徴とする。
【００１４】
本発明の目的を達成するための本発明の第２の様態によると、節電モードに進入する端末装置であって、アイドルモード要請メッセージを伝送した後、第１のタイマーを駆動する第１の過程を行い、前記第１のタイマーの満了時までアイドルモード承認メッセージを受信することができない場合、前記アイドルモード要請メッセージの再伝送の回数がアイドルモード要請メッセージの再伝送の許容回数を超えるか否かを検査する第２の過程を行い、前記アイドルモード要請メッセージの再伝送の回数が前記アイドルモード要請メッセージの再伝送の許容回数を超える場合、アイドルモードへの進入の失敗回数を１増加する第３の過程を行い、前記増加したアイドルモードへの進入の失敗回数がＮ回以上の場合、モデムの電源をオフする節電モードに進入する第４の過程とを行う節電モード管理部と、含むことを特徴とする。
【００１５】
本発明の目的を達成するための本発明の第３の様態によると、端末の節電モードへの進入方法であって、アイドルモード要請メッセージを伝送し、第１のタイマーを駆動し、前記第１のタイマーの満了時までアイドルモード承認メッセージを受信することができない場合、前記アイドルモード要請メッセージの再伝送の回数がアイドルモード要請メッセージの再伝送の許容回数を超えるか否かを検査し、前記アイドルモード要請メッセージの再伝送の回数が前記アイドルモード要請メッセージの再伝送の許容回数を超える場合、アイドルモードへの進入の失敗回数を１増加し、前記増加したアイドルモードへの進入の失敗回数がＮ回以上の場合、モデムの電源をオフする節電モードに進入する、ことを特徴とする。
【発明の効果】
【００１６】
本発明は、端末機が陰影地域に位置する場合、アイドルモードへの進入のためのシグナリング失敗によって行われる初期の呼接続過程の発生を防止して端末の電力消耗を最小化することができる利点がある。
【発明を実施するための最良の形態】
【００１７】
以下、本発明の好ましい実施形態を、添付した図面の参照とともに詳細に説明する。そして、本発明を説明するにおいて、関連した公知機能又は構成に対する具体的な説明が本発明の要旨を不明にすると判断される場合には、その詳細な説明を省略すべきである。
【００１８】
以下、本発明は、広帯域無線接続システムにおけるアイドルモードへの進入のための装置及び方法に対して説明する。
【００１９】
本発明においては、アイドルモードへの進入のための端末のＤＲＥＧ−ＲＥＱメッセージの再伝送の回数が「ＤＲＥＧ  Ｒｅｑｕｅｓｔ  Ｒｅｔｒｙ  Ｃｏｕｎｔ」を超える場合、初期の呼接続過程を行わずにモデムの電源を強制的にオフして節電モードに進入し、前記節電モード解除のイベントが発生した場合に、前記モデムの電源をオンして初期の呼接続過程を行う。
【００２０】
図２は、本発明の実施形態によるアイドルモードへの進入失敗時の対処過程を示した図である。
【００２１】
図２を参照すると、端末２００は、アイドルモードへの進入のために、ＤＲＥＧ−ＲＥＱメッセージを伝送し（ａステップ）、前記ＤＲＥＧ−ＲＥＱメッセージに対する応答として前記基地局２２０が伝送するＤＲＥＧ−ＣＭＤメッセージの受信のためにタイマーＴ４５を動作させる（ｂステップ）。
【００２２】
もし、前記タイマーＴ４５が満了するまで（ｃステップ）、前記端末２００が前記ＤＲＥＧ−ＣＭＤメッセージを受信することができない場合、ＤＲＥＧ−ＲＥＱメッセージを再伝送する（ｄステップ）。
【００２３】
前記再伝送の回数が「ＤＲＥＧ  Ｒｅｑｕｅｓｔ  Ｒｅｔｒｙ  Ｃｏｕｎｔ」を超過すると（ｅステップ）、前記端末のモデム部２０５は、アイドルモードへの進入失敗回数（以下、「ＩｄｌｅＥｎｔｒｙＦａｉｌＣｎｔ」という。）を１増加し、前記ＩｄｌｅＥｎｔｒｙＦａｉｌＣｎｔをホスト部２１０に知らせる（ｆステップ）。前記ＩｄｌｅＥｎｔｒｙＦａｉｌＣｎｔの初期値は０である。
【００２４】
以後、前記端末２００は、アイドルモードへの進入のリトライのためにＴｉｄｌｅｍｔｉｍｅの間に、上／下方向へのデータトラフィックが存在するか否かを検査する。前記Ｔｉｄｌｅｔｉｍｅの間に上／下方向へのデータトラフィックがない場合、前記ＤＲＥＧ−ＲＥＱメッセージ伝送ステップ（ａステップ）からの過程を繰り返す。
【００２５】
前記ホスト部２１０は、前記ＩｄｌｅＥｎｔｒｙＦａｉｌＣｎｔがＮ回を超える場合、ユーザに「受信感度が悪く、節電モードで動作します。」とのメッセージを出力する。前記メッセージは、ユーザに現在の地域が陰影地域であることを間接的に知らせるようにし、円滑な通信を希望の場合は、チャンネル状況の良い地域に移動して接続のリトライを行うように誘導するためのものである。
【００２６】
以後、前記ホスト部２１０は、前記モデム部２０５にモデムの電源を強制にオフさせてネットから出るようにする（ｇ、ｈステップ）。
【００２７】
もし、ユーザが別の地域に移動して、ネットへの接続を試みる場合、接続プログラムの連結ボタンを押してネットへの呼接続を新たに試みることができる。この場合、前記ホスト部２１０は、前記モデム部２０５にモデムの電源をオンさせて初期の呼接続過程を行う（ｉ、ｊステップ）。
【００２８】
図３は、本発明の実施例による端末の動作過程を示したフローチャートである。
【００２９】
図３を参照すると、端末は、ＤＲＥＧ−ＲＥＱメッセージを伝送し（３１０ステップ）、前記ＤＲＥＧ−ＲＥＱメッセージに対する応答として前記基地局が伝送するＤＲＥＧ−ＣＭＤメッセージの受信のために、タイマーＴ４５を動作させる（３１５ステップ）。
【００３０】
もし、前記端末が前記ＤＲＥＧ−ＣＭＤメッセージを受信した場合（３２０ステップ）、一般的なアイドルモードへの進入過程を行う（３２５ステップ）。
【００３１】
もし、前記端末が前記ＤＲＥＧ−ＣＭＤメッセージを受信することはできなかったが（３２０ステップ）、前記タイマーＴ４５が満了していない場合（３３０ステップ）は、前記端末は、前記ＤＲＥＧ−ＣＭＤメッセージの受信を待つ（３２０ステップ）。
【００３２】
もし、前記タイマーＴ４５が満了し（３３０ステップ）、前記ＤＲＥＧ−ＲＥＱメッセージの再伝送の回数が「ＤＲＥＧ  Ｒｅｑｕｅｓｔ  Ｒｅｔｒｙ  Ｃｏｕｎｔ」を超えていない場合（３３５ステップ）、再び前記ＤＲＥＧ−ＲＥＱメッセージを伝送する（３１０ステップ）。
【００３３】
もし、前記ＤＲＥＧ−ＲＥＱメッセージの再伝送の回数が「ＤＲＥＧ  Ｒｅｑｕｅｓｔ  Ｒｅｔｒｙ  Ｃｏｕｎｔ」を超えると（３３５ステップ）、ＩｄｌｅＥｎｔｒｙＦａｉｌＣｎｔ値を１増加し（３４０ステップ）、前記ＩｄｌｅＥｎｔｒｙＦａｉｌＣｎｔ値がＮ回以上ではない場合（３４５ステップ）、タイマーＴｉｄｌｅｔｉｍｅｒを駆動する（３４６ステップ）。
【００３４】
以後、前記タイマーＴｉｄｌｅｔｉｍｅｒが満了するまで（３４８ステップ）、送受信トラフィックが存在しない場合（３４７ステップ）、再び前記ＤＲＥＧ−ＲＥＱメッセージを伝送する（３１０ステップ）。
【００３５】
もし、前記ＩｄｌｅＥｎｔｒｙＦａｉｌＣｎｔ値がＮ回以上の場合（３４５ステップ）、前記端末は、モデムの電源をオフする節電モードに進入して、このことをディスプレイまたは出力する（３５０ステップ）。
【００３６】
以後、前記節電モードに対する解除のイベントが発生しない場合（３６０ステップ）、前記節電モードを維持する（３６５ステップ）。
【００３７】
もし、前記節電モードに対する解除のイベントが発生した場合（３６０ステップ）、前記節電モードを解除して初期の呼接続過程を行う（３７０ステップ）。
【００３８】
図４は、本発明の実施形態による端末のブロック構成を示した図である。
【００３９】
図４を参照すると、前記端末は、通信インターフェース４１０、制御部４２０、保存部４３０、節電モード管理部４４０及びタイマー管理部４５０から構成される。
【００４０】
前記通信インターフェース４１０は、他のノードと通信するためのモジュールであり、無線処理部及び基底帯域処理部などを含んで構成される。前記無線処理部は、アンテナを通じて受信される信号を基底帯域信号に変更して前記基底帯域処理部に提供し、前記基底帯域処理部からの基底帯域信号を実際の無線経路上に伝送することができるように無線信号に変更して前記アンテナを通じて送信する。前記通信インターフェース４１０は、本発明のモデムを含む。
【００４１】
前記制御部４２０は、前記端末の全般的な動作を制御する。特に、本発明によって前記節電モード管理部４４０及びタイマー管理部４５０を制御する。
【００４２】
前記保存部４３０は、前記端末の全般的な動作を制御するためのプログラム及びプログラム実行中に発生する一時的なデータを保存する役割を果たす。
【００４３】
前記節電モード管理部４４０は、ＤＲＥＧ−ＲＥＱメッセージを伝送し、前記ＤＲＥＧ−ＲＥＱメッセージに対する応答として前記基地局が伝送するＤＲＥＧ−ＣＭＤメッセージの受信のために、前記タイマー管理部４５０にタイマーＴ４５を駆動するように要請する。
【００４４】
前記節電モード管理部４４０は、前記端末が前記ＤＲＥＧ−ＣＭＤメッセージを受信した場合、一般的なアイドルモードへの進入過程を行う。もし、前記端末が前記ＤＲＥＧ−ＣＭＤメッセージを受信することはできなかったが、前記タイマー管理部４５０からの前記タイマーＴ４５の満了の通報を受けていない場合、前記端末は、前記ＤＲＥＧ−ＣＭＤメッセージの受信を待つ。
【００４５】
前記節電モード管理部４４０は、前記タイマー管理部４５０からの前記タイマーＴ４５の満了の通報があった場合、前記ＤＲＥＧ−ＲＥＱメッセージの再伝送の回数が「ＤＲＥＧ  Ｒｅｑｕｅｓｔ  Ｒｅｔｒｙ  Ｃｏｕｎｔ」を超えない場合、再び前記ＤＲＥＧ−ＲＥＱメッセージを伝送する。
【００４６】
前記節電モード管理部４４０は、前記ＤＲＥＧ−ＲＥＱメッセージの再伝送の回数が「ＤＲＥＧ  Ｒｅｑｕｅｓｔ  Ｒｅｔｒｙ  Ｃｏｕｎｔ」を超えると、ＩｄｌｅＥｎｔｒｙＦａｉｌＣｎｔ値を１増加し、前記ＩｄｌｅＥｎｔｒｙＦａｉｌＣｎｔ値がＮ回以上ではない場合、前記タイマー管理部４５０にタイマーＴｉｄｌｅｔｉｍｅｒを駆動するように要請する。
【００４７】
前記節電モード管理部４４０は、前記タイマー管理部４５０からの前記タイマーＴｉｄｌｅｔｉｍｅｒの満了の通報を受けるまで送受信トラフィックが存在しない場合、再び前記ＤＲＥＧ−ＲＥＱメッセージを伝送する。
【００４８】
前記節電モード管理部４４０は、前記ＩｄｌｅＥｎｔｒｙＦａｉｌＣｎｔ値がＮ回以上の場合、モデムの電源をオフする節電モードに進入し、このことをディスプレイまたは出力する。以後、前記節電モードに対する解除のイベントが発生しない場合、前記節電モードを維持する（３６５ステップ）。
【００４９】
前記節電モード管理部４４０は、前記節電モードに対する解除のイベントが発生した場合、前記節電モードを解除して初期の呼接続過程を行う。
【００５０】
前記タイマー管理部４５０は、前記通信インターフェース４１０の駆動に必要なタイマーの他に、上／下方向へのデータトラフィックの活性化と係わる前記タイマーＴｉｄｌｅｔｉｍｅと前記タイマーＴ４５を管理する。
【００５１】
上述したブロック構成で、前記制御部４２０は、前記節電モード管理部４４０の機能及びタイマー管理部４５０の機能を行うことができる。本発明おいてこれを別に構成して示したのは、各機能を区別して説明するためである。
【００５２】
したがって、実際に製品を具現する場合に、前記節電モード管理部４４０及びタイマー管理部４５０の機能の両方を前記制御部４２０で処理するように構成することもでき、前記機能の一部のみを前記制御部４２０で処理するように構成することもできる。
【００５３】
上述した本発明の好ましい実施形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【００５４】
【図１】一般的なアイドルモードへの進入過程及び進入失敗時の過程を示した図である。
【図２】本発明の実施形態によるアイドルモードへの進入失敗時の対処過程を示した図である。
【図３Ａ】本発明の実施形態による端末の動作過程を示したフローチャートである。
【図３Ｂ】本発明の実施例による端末の動作過程を示したフローチャートである。
【図４】本発明の実施形態による端末のブロック構成を示した図である。
【図１】
0004805318.tif 000002
【図２】
0004805318.tif 000003
【図３Ａ】
0004805318.tif 000004
【図３Ｂ】
0004805318.tif 000005
【図４】
0004805318.tif 000006